(57)【特許請求の範囲】
【請求項１】
耐熱性を有し、高温物体が載置される台座が床上に設置され、
該台座は、耐熱性を有する複数のユニットを隣接配置した構成とされていて、前記各ユニットは、中央部のみが前記床に固定されて他の部分は非固定とされていることを特徴とする高温物体の保管設備。
【請求項２】
前記ユニットは、隣接する他のユニットと非固定で係合して、互いの熱膨張を許容しつつ互いの端部同士の向きのずれを抑制する係合部を有していることを特徴とする請求項１に記載の高温物体の保管設備。
【請求項３】
前記台座は、前記ユニットとしてレールを用いており、
該レールをその長手方向に沿って複数隣接配置してなるレールの組を、略平行にして二組配置した構成とされていて、
前記高温物体は、前記台座を構成する前記二つのレールの組にまたがるようにして該台座上に載置され、前記レールによって両端近傍を支持されることを特徴とする請求項１または２に記載の高温物体の保管設備。
【請求項４】
前記高温物体はフォークリフトによって搬送されて前記台座上に載置されるとともに、前記二組のレールの組同士は、前記フォークリフトの左右の車輪間の間隔よりも狭い幅内に配置されていることを特徴とする請求項３に記載の高温物体の保管設備。
【発明の詳細な説明】
【０００１】
【発明の属する技術分野】
本発明は、例えば銅の製錬工程において生成されるヘズレットアノード等の高温物体を保管する高温物体の保管設備（以下、単に保管設備と称する）に関する。
【０００２】
【従来の技術】
銅の製錬工程においては、銅精鉱を溶錬して精製した溶融状態の銅を、アノードと称される略方形状の平板に成形して電解精製することにより、高純度の銅材を得るようにしている。
ここで、この種のアノードとしては、溶融した銅を鋳造型に鋳込んで平板状に成形したものが一般的であるが、これ以外に、いわゆるヘズレットアノードと称される、長尺の平板形状に成形された高温状態の銅からプレス等によって切り出されて略方形に成形されるものも知られている。しかるに、鋳造によって成形されたアノードは水冷等によって急冷されてから電解精製に供されるが、上記ヘズレットアノードは、鋳造によるアノードに比べてその肉厚が薄いために急冷すると反りが生じたりする恐れがあるので、プレス等によって切り出されたまま屋外等に保管して徐冷し、その後に電解精製するようにしている。
そして、従来、このようなヘズレットアノードの保管は、屋外に設けられたコンクリート製の床の上に、このヘズレットアノードを直接載置して保管するというだけのものであった。
【０００３】
【発明が解決しようとする課題】
ところが、このようにプレス等によって切り出された直後のヘズレットアノードは、その表面温度が６００°Ｃ程度と高温のままであるので、これを直接コンクリートの床に載置すると、熱による床の損傷が著しく、短期間で床に亀裂や剥離が生じて凹凸ができ、アノードを安定して載置することができなくなるため、頻繁に床の補修を行わなければならないという問題があった。その一方で、床を保護するために、例えば床上に耐熱性を有する台座を設置してその上にヘズレットアノードを載置するようにしても、台座がヘズレットアノードの熱で熱変形して歪んでしまうという不都合があった。
また、ヘズレットアノードの表面には、これを保管しているうちに粉末状の酸化銅が形成され、この酸化銅粉末は、表面から剥離して床上に落下する。この酸化銅粉末は、形成品の材料として再利用することがコスト上好ましいが、熱によって床が損傷している場合には、損傷した床の凹凸内に酸化銅粉末が入り込んでしまうので、回収が困難となっていた。
【０００４】
本発明は、このような事情に鑑みてなされたもので、上記ヘズレットアノードのような高温物体による床の損傷を低減することができる保管設備を提供することを目的としている。
【０００５】
【課題を解決するための手段】
本発明にかかる保管設備は、耐熱性を有し、高温物体が載置される台座が床上に設置され、該台座は、耐熱性を有する複数のユニットを隣接配置した構成とされていて、前記各ユニットは、中央部のみが前記床に固定されて他の部分は非固定とされていることを特徴としている。
このように構成される保管設備は、高温物体を床の上に直接置くのではなく、耐熱性を有する台座上に載置しているので、熱による床の損傷を低減することができる。そして、この台座が、耐熱性を有する複数のユニットを隣接配置した構成とされているので、それぞれのユニットに熱膨張が生じても、ユニット間で歪みが伝播せず、歪みが増幅されないので、台座全体に生じる歪みを小さくすることができる。
【０００６】
これら各ユニットは、中央部のみを床に対して固定し、他の部分は非固定とすることで、ユニットを床に固定しつつ、ユニットに生じた歪みを非固定の端部に逃がして歪みを低減することができる。
そして、これらユニットに、隣接する他のユニットと非固定で係合して、互いの熱膨張を許容しつつ互いの端部同士の向きのずれを抑制する係合部を設けることで、各ユニットに熱膨張による歪みが生じても、互いの熱膨張を許容して歪みを逃がしつつ、係合部によって隣接するユニットの端部同士の向きのずれを抑えることができる。
【０００７】
ここで、高温物体が上記ヘズレットアノードのように屋外で保管される時には、高温物体から落下した酸化物粉末（高温物体がヘズレットアノードである場合には酸化銅粉末）は風に吹き飛ばされやすかった。また、高温物体の搬送には、主としてフォークリフトが用いられるため、高温物体の搬送時にフォークリフトの車輪でこの酸化物粉末を巻き上げて周囲に飛散させてしまっていた。このように、高温物体から落下した酸化物粉末の回収は困難で、回収率も低かった。
そこで、台座のユニットとしてレールを用い、さらに長手方向に沿って複数隣接配置してなるレールの組を、略平行にして複数組配置した構成とすることで、平行に配置されるレールの組間に酸化物粉末が堆積する。そして、このレールによって風が遮られるので、レールの組間に堆積した酸化物粉末が風に吹き飛ばされにくくなる。
また、高温物体を搬送するフォークリフトがこれら略平行に配置される全てのレールの組をまたいだ状態でレールの長手方向に沿って移動できるように、略平行に配置されるレールの組を、フォークリフトの左右の車輪間の間隔よりも狭い幅内で配置すれば、フォークリフトの車輪を、酸化物粉末が堆積するレールの組間に進入させずに高温物体を搬入、搬出することができ、高温物体の搬送時における酸化物粉末の飛散を低減することができる。
【０００８】
【発明の実施の形態】
以下より、本発明の一実施形態について図面を用いて説明する。図１は本発明の一実施形態にかかる保管設備の概略構成を示す平面図、図２は本実施形態にかかる保管設備の台座の要部の構成を示す側面図、図３は本実施形態にかかる保管設備の概略構成を示す側断面図である。
本発明の一実施形態にかかる保管設備１は、高温物体を屋外で保管するものであって、図１に示すように、例えばコンクリートからなる床Ｆ上に、高温物体が載置される耐熱性を有する台座２を設けたものである。ここで、本実施の形態では、高温物体として、銅の板材からプレス（熱間加工）によって切り出したヘズレットアノードＨを用いている。ヘズレットアノードＨの上端には、該ヘズレットアノードＨを電解精製する際の吊下部となる耳Ｅが側方に張り出すように形成されており、フォークリフトによってこの耳Ｅを保持して搬送できるようになっている。また、ヘズレットアノードＨは、長尺の板材をプレス加工によってその上下を互い違いにして略同一形状の複数の板材に連続して切り分けてなるものであり、従ってその下端の両側方には、隣接して切り分けられる上下互い違いのヘズレットアノードＨの耳Ｅと同形状の切り欠きＣが形成されている。
【０００９】
台座２は、耐熱性を有する複数のレール３（ユニット）を有している。本実施の形態では、レール３は金属製であり、特に炭素鋼からなる１５ｋｇレール（鉄道用レール）であって、その長さは１ｍとされている。
台座２は、このようなレール３をその長手方向に複数隣接配置してなるレール３の組を、略平行にして二組配置し、これらレール３の組の端部に隣接して、ヘズレットアノードＨが立てかけられる耐熱性を有するスタンド４を設けた構成とされている。ここで、上記の二組のレール３の組同士は、フォークリフトがこれらレール３の組をまたいだ状態でレール３の長手方向に沿って移動できるように、フォークリフトの左右の車輪間の間隔よりも狭い幅Ｄ１内に配置されている。また、これらレールの組間の幅Ｄ２は、ヘズレットアノードＨの切り欠きＣ間の間隔よりもわずかに広く取られている。
【００１０】
これらレール３は、それぞれ固定具６によって中央部のみを床Ｆに固定されており、他の部分は非固定とされている。
また、各レール３の少なくとも一方の端部には、隣接する他のレール３と非固定で係合して、互いの熱膨張を許容しつつ互いの向きのずれを抑制する係合部７が設けられている。
本実施の形態では、図２に示すように、係合部７を、それぞれ一端をレール３の先端側に突出させた状態で他端をレール３の端部側面に溶接等によって固定された板状部材８、８によって構成しており、隣接するレール３同士は、一方のレール３の端部に設けられた板状部材８、８間に、他方のレール３の一端を挟み込むようにして配置されている。ここで、レール３は、側面にくびれを有する断面Ｉ字または逆Ｔ字形状をなしており、板状部材８、８は、他方のレール３のくびれ部分Ｂを挟み込むことで、一方のレール３の端部に対する他方のレール３の端部の上下左右方向の移動を抑えるようになっている。
【００１１】
このように構成される保管設備１において、ヘズレットアノードＨは、フォークリフトのフォークによって耳Ｅを保持されて搬送され、台座２を構成する二つのレール３の組にまたがるようにして台座２上に載置される。このとき、ヘズレットアノードＨは、下端の両側方の切り欠きＣが形成される部分をそれぞれレール３によって支持される。ここで、ヘズレットアノードＨは、レール３によって切り欠きＣの縁部を案内されることで、横方向の位置（レール３の幅方向の位置）を位置決めされて、台座２上で整列状態に載置され、フォークリフトによる搬入、搬出作業がスムーズに行われるようになっている。
そして、ヘズレットアノードＨは、レール３によって両端近傍を支持されているので、ヘズレットアノードＨの表面から落下した酸化物粉末Ｐ（酸化銅粉末）は、ほとんどがレール３の組間に落下することとなる。
また、フォークリフトは、これら略平行に配置されるレール３の組をまたいで左右の車輪をこれらレール３の組の外方に位置させた状態で、レール３の長手方向に沿って移動し、ヘズレットアノードＨの搬入、搬出を行う。
【００１２】
このように構成される保管設備１によれば、ヘズレットアノードＨを耐熱性を有する台座２上に載置しているので、ヘズレットアノードＨの熱による床Ｆの損傷を低減することができる。そして、この台座２が、耐熱性を有する複数のレール３を隣接配置した構成とされているので、それぞれのレール３に熱膨張が生じても、隣接するレール３間で歪みが伝播せず、台座２全体に生じる歪みを小さくすることができ、ヘズレットアノードＨの保持を良好に行うことができる。
【００１３】
これら各レール３は、中央部のみを床Ｆに対して固定し、他の部分は非固定とされているので、レール３を床Ｆに固定しつつ、レール３に生じた歪みを非固定の端部に逃がして歪みを低減することができる。
そして、これらレール３に、隣接する他のレール３に対して非固定で係合する係合部７が設けられているので、各レール３に熱膨張による歪みが生じても、互いの歪みを逃がしつつ、係合部７によって隣接するレール３の端部同士の向きのずれを抑えて、ヘズレットアノードＨの保持を良好に行うことができる。
【００１４】
また、ヘズレットアノードＨから落下した酸化物粉末Ｐは、ほとんどがレール３の組間に落下して堆積する。そして、このレール３によって風が遮られるので、レール３の組間に堆積した酸化物粉末Ｐが風に吹き飛ばされにくくなる。また、床Ｆの損傷が低減されて床の凹凸が少なくなるので、酸化物粉末Ｐを回収しやすい。
さらに、フォークリフトがこれらレール３の組をまたいだ状態でレール３の長手方向に沿って移動するので、フォークリフトの車輪を、ほとんどの酸化物粉末Ｐが堆積するレール３の組間に進入させずにヘズレットアノードＨを台座２上に搬入、搬出することができ、ヘズレットアノードＨの搬送時における酸化物粉末Ｐの飛散を低減することができる。そして、レール３の組間に堆積した酸化物粉末Ｐを該レール３の長手方向に沿って払い出せば、容易に回収することができる。
このように、本発明にかかる保管設備１によれば、酸化物粉末Ｐが周囲に飛散しにくくなり、回収率を向上させることができる。
【００１５】
ここで、上記実施の形態では、高温物体として銅製のヘズレットアノードＨを用いた例を示したが、これに限られることなく、本発明にかかる保管設備１には、任意の材質、形状の高温物体を保管することができる。この場合には、高温物体のハンドリングが良好になるように、高温物体の材質や形状、温度などに応じて、台座２を構成するユニットの材質、形状、配置を変える。
また、上記実施の形態では、台座２を構成するユニットとしてレール３を用いた例を示したが、これに限られることなく、例えば床Ｆ上に複数の耐熱性を有する板材またはブロックを隣接配置することで台座２を構成してもよい。
【００１６】
【発明の効果】
本発明にかかる保管設備によれば、高温物体を耐熱性を有する台座上に載置しているので熱による床の損傷を低減することができ、さらにこの台座が複数のユニットを隣接配置した構成であって、それぞれのユニットに生じた熱膨張による歪みがユニット間で伝播しないので、台座全体に生じる歪みを小さくして高温物体の保持を良好に行うことができる。
また、床の損傷が低減されて床の凹凸が少なくなるので、酸化物粉末を回収しやすい。
【００１７】
そして、これら各ユニットは、中央部のみを床に対して固定し、他の部分は非固定とされているので、ユニットを床に固定しつつ、ユニットに生じた歪みを非固定の端部に逃がすことができ、歪みを低減することができる。
さらに、これらユニットに、隣接する他のユニットに対して非固定で係合する係合部を設けることで、各ユニットの熱膨張による歪みを逃がしつつ、隣接するユニットの端部同士の向きのずれを抑えることができ、高温物体の保持を良好に行うことができる。
【００１８】
また、台座のユニットとしてレールを用い、さらに長手方向に沿って複数隣接配置してなるレールの組を、略平行にして複数組配置した構成とすることで、これらレールの組間に酸化物粉末が堆積するとともに、レールによって風が遮られるので、レールの組間に堆積した酸化物粉末が風に吹き飛ばされにくくなる。
さらに、これらレールの組を、フォークリフトの左右の車輪間の間隔よりも狭い幅内で配置すれば、フォークリフトがこれらレールの組をまたいで、車輪を酸化物粉末が堆積するレールの組間に進入させずに高温物体を搬入、搬出することができるので、高温物体の搬送時における酸化物粉末の飛散を低減することができる。
そして、レールの組間に堆積した酸化物粉末を該レールの長手方向に沿って払い出せば、容易に回収することができる。
このように、本発明にかかる保管設備によれば、酸化物粉末が周囲に飛散しにくくなり、回収率を向上させることができる。
【図面の簡単な説明】
【図１】本発明の一実施形態にかかる保管設備の概略構成を示す平面図である。
【図２】本実施形態にかかる保管設備の台座の要部の構成を示す側面図である。
【図３】本実施形態にかかる保管設備の概略構成を示す側断面図である。
【符号の説明】
１  保管設備                        ２  台座
３  レール（ユニット）              ４  係合部
Ｆ  床                              Ｈ  ヘズレットアノード（高温物体）
【図１】
0003540264.tif 000002
【図２】
0003540264.tif 000003
【図３】
0003540264.tif 000004